(57)【要約】【課題】適切なタイミングで宛先の無線機を呼び出すために、遠隔地のレピータ局の通信状況をモニタする。【解決手段】モニタ端末１０からインターネット５を介してモニタ対象のレピータ局２を指定するモニタ要求コマンドを送信する。モニタ要求コマンドを受信したモニタ局３０は、その通信圏内のレピータ局２から無線機１に送信されるメッセージを傍受し、その傍受したメッセージをインターネット５を通してモニタ端末１０へ転送する。モニタ端末１０は、受信したメッセージを無線機１で受信可能な電波形式に変換して送信する。これにより、モニタ端末１０と無線機１を用いて、インターネット５を介して遠隔地のレピータ局２の通信状況を随時モニタすることが可能になり、宛先のレピータ局２の通信状況に応じて、適切なタイミングで宛先の無線機１を呼び出すことができる。【選択図】図１
2010124119.tif 000002
【特許請求の範囲】
【請求項１】
移動体端末との間で無線によってメッセージを送受信するレピータ局を収容する複数のゲートウエイをインターネットを介して接続することにより、前記移動体端末間での通信を実現する通信システムにおいて、前記レピータ局の通信内容をそのレピータ局の通信圏外からモニタするための遠隔地レピータ・モニタシステムであって、
モニタ対象のレピータ局を指定するモニタ要求コマンドを前記インターネットに送信すると共に、該インターネットを介して受信したモニタデータを無線で送信するモニタ端末と、
前記レピータ局の通信圏内に配置され、該レピータ局から前記移動体端末に送信されるメッセージを傍受し、前記インターネットを介して送信された前記モニタ要求コマンドに応じて、その傍受したメッセージを該インターネットを通して前記モニタデータとして前記モニタ端末へ送信するモニタ局と、を備える
ことを特徴とする遠隔地レピータ・モニタシステム。
【請求項２】
移動体端末との間で無線によってメッセージを送受信するレピータ局を収容する複数のゲートウエイをインターネットを介して接続することにより、前記移動体端末間での通信を実現する通信システムにおいて、前記レピータ局の通信内容をそのレピータ局の通信圏外からモニタするための遠隔地レピータ・モニタシステムであって、
モニタ対象のレピータ局を指定するモニタ要求コマンドを前記インターネットに送信すると共に、該インターネットを介して受信したモニタデータを無線で送信するモニタ端末と、
前記レピータ局の通信圏内に配置され、該レピータ局から前記移動体端末に送信されるメッセージを傍受し、前記インターネットを介して受信したモニタ指示コマンドに応じて、その傍受したメッセージを該インターネットを通して送信するモニタ局と、
前記モニタ端末から受信した前記モニタ要求コマンドに従って前記モニタ局に前記モニタ指示コマンドを送信し、該モニタ局で傍受されて送られてきた前記メッセージを前記モニタデータとして該モニタ端末に送信するモニタサーバと、を備える
ことを特徴とする遠隔地レピータ・モニタシステム。
【請求項３】
移動体端末との間で無線によってメッセージを送受信するレピータ局を収容する複数のゲートウエイをインターネットを介して接続することにより、前記移動体端末間での通信を実現する通信システムにおいて、前記レピータ局の通信内容をそのレピータ局の通信圏外からモニタするための遠隔地レピータ・モニタシステムであって、
モニタ対象のレピータ局を指定するモニタ要求コマンドを前記インターネットに送信すると共に、該インターネットを介して受信したモニタデータを無線で送信するモニタ端末を備え、
前記ゲートウエイは、前記収容するレピータ局を介して前記移動体端末に送信するメッセージを、前記モニタ要求コマンドに応じて前記インターネットを通して前記モニタデータとして前記モニタ端末へ送信するように構成された、
ことを特徴とする遠隔地レピータ・モニタシステム。
【請求項４】
移動体端末との間で無線によってメッセージを送受信するレピータ局を収容する複数のゲートウエイをインターネットを介して接続することにより、前記移動体端末間での通信を実現する通信システムにおいて、前記レピータ局の通信内容をそのレピータ局の通信圏外からモニタするための遠隔地レピータ・モニタシステムであって、
モニタ対象のレピータ局を指定するモニタ要求コマンドを前記インターネットに送信すると共に、該インターネットを介して受信したモニタデータを無線で送信するモニタ端末と、
前記モニタ端末から受信した前記モニタ要求コマンドに従って前記インターネットにモニタ指示コマンドを送信し、該インターネットを通して前記レピータ局から送られてきたメッセージを前記モニタデータとして該モニタ端末に送信するモニタサーバとを備え、
前記ゲートウエイは、前記収容するレピータ局を介して前記移動体端末に送信するメッセージを、前記モニタ指示コマンドに応じて前記インターネットを通して前記モニタサーバへ送信するように構成された、
ことを特徴とする遠隔地レピータ・モニタシステム。
【請求項５】
前記モニタ端末は、前記モニタデータを前記移動体端末で受信可能な電波形式を使用して送信することを特徴とする請求項１乃至４のいずれか１項に記載の遠隔地レピータ・モニタシステム。
【請求項６】
前記移動体端末は移動無線局用の無線機であり、前記移動体端末及び前記レピータ局の識別符号には無線局のコールサインを用いることを特徴とする請求項５記載の遠隔地レピータ・モニタシステム。
【請求項７】
移動体端末との間で無線によってメッセージを送受信するレピータ局を収容する複数のゲートウエイをインターネットを介して接続することにより、前記移動体端末間での通信を実現する通信システムにおいて、前記レピータ局の通信内容をそのレピータ局の通信圏外からモニタする遠隔地レピータのモニタ方法であって、
モニタ端末が、モニタ対象のレピータ局を指定するモニタ要求コマンドを、該レピータ局の通信圏内に配置されたモニタ局に前記インターネットを介して送信する処理と、
前記モニタ局が前記モニタ要求コマンドを受信した後、前記レピータ局から前記移動体端末に送信されるメッセージを傍受し、その傍受したメッセージをモニタデータとして前記モニタ端末に前記インターネットを介して転送する処理と、
前記モニタ端末が、前記モニタ局から転送された前記モニタデータを、前記移動体端末で受信可能な電波形式に変換して送信する処理とを、
順次行うことを特徴とする遠隔地レピータのモニタ方法。
【請求項８】
移動体端末との間で無線によってメッセージを送受信するレピータ局を収容する複数のゲートウエイをインターネットを介して接続することにより、前記移動体端末間での通信を実現する通信システムにおいて、前記レピータ局の通信内容をそのレピータ局の通信圏外からモニタする遠隔地レピータのモニタ方法であって、
モニタ端末が、モニタ対象のレピータ局を指定するモニタ要求コマンドを、モニタサーバに前記インターネットを介して送信する処理と、
前記モニタサーバが、前記モニタ要求コマンドに応じてモニタ指示コマンドを、前記モニタ対象のレピータ局の通信圏内に配置されたモニタ局に前記インターネットを介して送信する処理と、
前記モニタ局が前記モニタ指示コマンドを受信した後、前記レピータ局から前記移動体端末に送信されるメッセージを傍受し、その傍受したメッセージを前記モニタサーバに前記インターネットを介して転送する処理と、
前記モニタサーバが、前記モニタ局から転送されたメッセージをモニタデータとして、前記モニタ端末に前記インターネットを介して転送する処理と、
前記モニタ端末が、前記モニタサーバから転送された前記モニタデータを、前記移動体端末で受信可能な電波形式に変換して送信する処理とを、
順次行うことを特徴とする遠隔地レピータのモニタ方法。
【発明の詳細な説明】
【技術分野】
【０００１】
本発明は、無線通信とインターネットを併用する移動体通信技術、特に遠隔地レピータの使用状況のモニタ技術に関する。
【背景技術】
【０００２】
図１１は、無線通信とインターネットを併用する移動体通信システムの一例であるＤ−ＳＴＡＲ(Digital Smart Technologies for Amateur Radio）システムの概要を示す構成図である。（なお、Ｄ−ＳＴＡＲは、社団法人日本アマチュア無線連盟の登録商標である。）
【０００３】
このＤ−ＳＴＡＲシステムは、アマチュア無線の無線機１の電波を中継するレピータ局２間の中継回線としてＩＰ(Internet Protocol)ネットワーク（以下、インターネットという）を利用するもので、エリア（通信圏）毎に設けられた複数のレピータ局２と、これらのレピータ局２を制御すると共にインターネット５に接続するための複数のゲートウエイ３を有している。同一のゲートウエイ３に収容されるレピータ局２の間は、高速の専用回線である幹線４を介して接続されている。また、各ゲートウエイ３は、インターネット５を介して相互に接続されるようになっている。また、インターネット５には、各無線機１が現在接続されているレピータ等の接続情報を管理する管理サーバ６が接続されている。
【０００４】
各無線機１は、ユーザを特定するための固有の識別符号であるユーザＩＤ（例えば、アマチュア無線のコールサイン）を有している。また、各レピータ局２は、無線による通信範囲を特定するためのアドレスであるエリアＩＤ（例えば、アマチュア無線のコールサイン）を有している。一方、各ゲートウエイ３や管理サーバ６には、インターネット上での位置を特定するためのＩＰアドレスが付与されている。
【０００５】
このようなＤ−ＳＴＡＲシステムにおいて、各ゲートウエイ３は、収容するレピータ局２を介して各エリア内に存在する無線機１の状態を監視し、各無線機１の接続情報等をインターネット５を通して管理サーバ６に通知する。管理サーバ６は、各ゲートウエイ３から通知された無線機１の状態や接続情報等をデータベースに保存し、各ゲートウエイ３からの問い合わせに応じて無線機１の接続情報等を通知するようになっている。
【０００６】
このＤ−ＳＴＡＲシステムで、１つの無線機１ａから他の無線機１ｂへ通信を行う場合、送信元の無線機１ａは宛先の無線機１ｂのユーザＩＤを指定してレピータ局２ａへ音声やデータ等のメッセージを送信する。無線機１ａから送信されたメッセージは、その無線機１ａが存在するエリアのレピータ局２ａで受信され、直接または幹線４を介してゲートウエイ３ａに転送される。
【０００７】
ゲートウエイ３ａは、宛先の無線機１ｂのユーザＩＤを管理サーバ６へ伝え、該当する無線機１ｂの状態や接続情報等を問い合わせる。そして、管理サーバ６から、宛先の無線機１ｂを収容するゲートウエイ３ｂのＩＰアドレスとレピータ局２ｂのエリアＩＤを得て、これらの宛先アドレスを、無線機１ａから送信されたメッセージに付加してインターネット５に送信する。
【０００８】
宛先のゲートウエイ３ｂは、インターネット５を介して受信したメッセージに付加されたエリアＩＤに従って、そのメッセージを該当するレピータ局２ｂへ転送する。レピータ局２ｂは、ゲートウエイ３ｂから転送されてきたメッセージを無線信号に変換して送信する。これにより、レピータ局２ｂのエリア内に存在する無線機１ｂは、送信元の無線機１ａからのメッセージを受信することができる。
このように、Ｄ−ＳＴＡＲシステムは、インターネット５を中継回線として使用することにより、電波が直接届かないような遠距離であっても、移動体間の通信を可能としている。
【０００９】
なお、下記特許文献１には、トランシーバの通話内容をモニタし、インターネットを介して通信圏外のトランシーバ等へ送信する通信システムが記載されている。また、下記特許文献２には、地区毎に設置されて複数の連絡用無線機と送受信を行う無線送受信装置の間をイントラネットで接続し、他の地区の無線送受信装置で連絡用無線機との間で行われている交信内容をモニタするための無線交信モニタシステムが記載されている。
【００１０】
【特許文献１】特開２００１−１３６２０６号公報
【特許文献２】特開２００２−３３０１０８号公報
【発明の開示】
【発明が解決しようとする課題】
【００１１】
しかしながら、Ｄ−ＳＴＡＲシステムでは、遠隔地のレピータ局２にメッセージを送信しようとしても、そのレピータ局２の使用状況が分からず、使用中のために接続できなかったり、そのレピータ局２の通信を結果的に妨害したりするという問題があった。また、前記特許文献１，２によるモニタシステムは、単に他のトランシーバ等の交信内容をモニタすることを目的としたもので、メッセージの中継を行う個々のレピータ局の使用状況をモニタすることはできなかった。
【００１２】
本発明は、適切なタイミングで宛先の無線機１を呼び出すために、遠隔地のレピータ局２の通信状況をモニタすることが可能な、遠隔地レピータ・モニタシステムと遠隔地レピータのモニタ方法を提供することを目的とする。
【課題を解決するための手段】
【００１３】
上記目的を達成するために、本発明の第１の観点に係る遠隔地レピータ・モニタシステムは、移動体端末との間で無線によってメッセージを送受信するレピータ局を収容する複数のゲートウエイをインターネットを介して接続することにより、前記移動体端末間での通信を実現する通信システムにおいて、前記レピータ局の通信内容をそのレピータ局の通信圏外からモニタするための遠隔地レピータ・モニタシステムであって、モニタ対象のレピータ局を指定するモニタ要求コマンドを前記インターネットに送信すると共に、該インターネットを介して受信したモニタデータを無線で送信するモニタ端末と、前記レピータ局の通信圏内に配置され、該レピータ局から前記移動体端末に送信されるメッセージを傍受し、前記インターネットを介して送信された前記モニタ要求コマンドに応じて、その傍受したメッセージを該インターネットを通して前記モニタデータとして前記モニタ端末へ送信するモニタ局とを備えることを特徴とする。
【００１４】
本発明の第２の観点に係る遠隔地レピータ・モニタシステムは、移動体端末との間で無線によってメッセージを送受信するレピータ局を収容する複数のゲートウエイをインターネットを介して接続することにより、前記移動体端末間での通信を実現する通信システムにおいて、前記レピータ局の通信内容をそのレピータ局の通信圏外からモニタするための遠隔地レピータ・モニタシステムであって、モニタ対象のレピータ局を指定するモニタ要求コマンドをインターネットに送信すると共に、該インターネットを介して受信したモニタデータを無線で送信するモニタ端末と、前記レピータ局の通信圏内に配置され、該レピータ局から移動体端末に送信されるメッセージを傍受し、前記インターネットを介して受信したモニタ指示コマンドに応じて、その傍受したメッセージを該インターネットを通して送信するモニタ局と、モニタ端末から受信した前記モニタ要求コマンドに従って前記モニタ局に前記モニタ指示コマンドを送信し、該モニタ局で傍受されて送られてきた前記メッセージを前記モニタデータとして該モニタ端末に送信するモニタサーバとを備えることを特徴とする。
【００１５】
本発明の第３の観点に係る遠隔地レピータ・モニタシステムは、移動体端末との間で無線によってメッセージを送受信するレピータ局を収容する複数のゲートウエイをインターネットを介して接続することにより、前記移動体端末間での通信を実現する通信システムにおいて、前記レピータ局の通信内容をそのレピータ局の通信圏外からモニタするための遠隔地レピータ・モニタシステムであって、モニタ対象のレピータ局を指定するモニタ要求コマンドを前記インターネットに送信すると共に、該インターネットを介して受信したモニタデータを無線で送信するモニタ端末を備え、前記ゲートウエイは、前記収容するレピータ局を介して前記移動体端末に送信するメッセージを、前記モニタ要求コマンドに応じて前記インターネットを通して前記モニタデータとして前記モニタ端末へ送信するように構成されたことを特徴とする。
【００１６】
本発明の第４の観点に係る遠隔地レピータ・モニタシステムは、移動体端末との間で無線によってメッセージを送受信するレピータ局を収容する複数のゲートウエイをインターネットを介して接続することにより、前記移動体端末間での通信を実現する通信システムにおいて、前記レピータ局の通信内容をそのレピータ局の通信圏外からモニタするための遠隔地レピータ・モニタシステムであって、モニタ対象のレピータ局を指定するモニタ要求コマンドを前記インターネットに送信すると共に、該インターネットを介して受信したモニタデータを無線で送信するモニタ端末と、前記モニタ端末から受信した前記モニタ要求コマンドに従って前記インターネットにモニタ指示コマンドを送信し、該インターネットを通して前記レピータ局から送られてきたメッセージを前記モニタデータとして該モニタ端末に送信するモニタサーバとを備え、前記ゲートウエイは、前記収容するレピータ局を介して前記移動体端末に送信するメッセージを、前記モニタ指示コマンドに応じて前記インターネットを通して前記モニタサーバへ送信するように構成されたことを特徴とする。
【００１７】
モニタ端末は、モニタデータを移動体端末で受信可能な電波形式を使用して送信するように構成しても良い。また、前記移動体端末は移動無線局用の無線機とし、前記移動体端末及びレピータ局の識別符号には無線局のコールサインを用いることができる。
【００１８】
本発明の第５の観点に係る遠隔地レピータのモニタ方法は、移動体端末との間で無線によってメッセージを送受信するレピータ局を収容する複数のゲートウエイをインターネットを介して接続することにより、前記移動体端末間での通信を実現する通信システムにおいて、前記レピータ局の通信内容をそのレピータ局の通信圏外からモニタする遠隔地レピータのモニタ方法であって、モニタ端末が、モニタ対象のレピータ局を指定するモニタ要求コマンドを、該レピータ局の通信圏内に配置されたモニタ局に前記インターネットを介して送信する処理と、前記モニタ局が前記モニタ要求コマンドを受信した後、前記レピータ局から前記移動体端末に送信されるメッセージを傍受し、その傍受したメッセージをモニタデータとして前記モニタ端末に前記インターネットを介して転送する処理と、前記モニタ端末が、前記モニタ局から転送された前記モニタデータを、前記移動体端末で受信可能な電波形式に変換して送信する処理とを順次行うことを特徴とする。
【００１９】
本発明の第６の観点に係る遠隔地レピータのモニタ方法は、移動体端末との間で無線によってメッセージを送受信するレピータ局を収容する複数のゲートウエイをインターネットを介して接続することにより、前記移動体端末間での通信を実現する通信システムにおいて、前記レピータ局の通信内容をそのレピータ局の通信圏外からモニタする遠隔地レピータのモニタ方法であって、モニタ端末が、モニタ対象のレピータ局を指定するモニタ要求コマンドを、モニタサーバに前記インターネットを介して送信する処理と、前記モニタサーバが、前記モニタ要求コマンドに応じてモニタ指示コマンドを、前記モニタ対象のレピータ局の通信圏内に配置されたモニタ局に前記インターネットを介して送信する処理と、前記モニタ局が前記モニタ指示コマンドを受信した後、前記レピータ局から前記移動体端末に送信されるメッセージを傍受し、その傍受したメッセージを前記モニタサーバに前記インターネットを介して転送する処理と、前記モニタサーバが、前記モニタ局から転送されたメッセージをモニタデータとして、前記モニタ端末に前記インターネットを介して転送する処理と、前記モニタ端末が、前記モニタサーバから転送された前記モニタデータを、前記移動体端末で受信可能な電波形式に変換して送信する処理とを順次行うことを特徴とする。
【発明の効果】
【００２０】
本発明の遠隔地レピータ・モニタシステムは、モニタ端末からインターネットを介してモニタ対象のレピータ局を指定するモニタ要求コマンドを送信し、モニタ要求コマンドを受信したモニタ局が、その通信圏内のレピータ局から前記移動体端末に送信されるメッセージを傍受して、その傍受したメッセージをインターネットを通してモニタデータとしてモニタ端末へ転送し、これを受信したモニタ端末が、無線に変換して送信するように構成されている。従って、モニタ端末と移動体端末を用いて、インターネットを介して遠隔地のレピータ局の通信状況を随時モニタすることにより、宛先のレピータ局の通信状況に応じて、適切なタイミングで宛先の無線機を呼び出すことができるという効果がある。
【発明を実施するための最良の形態】
【００２１】
［第１の実施形態］
図１に示すように、本発明の第１の実施形態のデータ通信システムは、Ｄ−ＳＴＡＲシステムを基本構成としたもので、図１１中の要素と共通の要素には共通の符号が付されている。
このデータ通信システムは、アマチュア無線の無線機１の電波を中継するレピータ局２間の中継回線としてインターネット５を利用するＤ−ＳＴＡＲシステムにおいて、指定したレピータ局２の通信状況をモニタする機能を追加したものである。
【００２２】
レピータ局２は通信圏であるエリア毎に設けられ、これらのレピータ局２は、ゲートウエイ３を介してインターネット５に接続されている。なお、同一のゲートウエイ３に収容されるレピータ局２の間は、高速の専用回線である幹線４を介して接続されている。
各ゲートウエイ３は、収容するレピータ局２とインターネット５との間の接続を制御するもので、インターネット５を介して相互に接続されるようになっている。また、インターネット５には、各無線機１が現在接続されているレピータ等の接続情報を管理する管理サーバ６が接続されている。
【００２３】
更に、このデータ通信システムは、レピータ局２の通信状況をモニタするために、モニタ端末１０、モニタサーバ２０及びモニタ局３０を備えている。これらのモニタ端末１０、モニタサーバ２０及びモニタ局３０は、すべてインターネット５に接続されており、それぞれインターネット上での位置を特定するために、固有のＩＰアドレスが付与されている。
【００２４】
モニタ端末１０は、モニタ対象のレピータ局２を指定してモニタの開始や終了を要求するモニタ要求コマンドを、インターネット５を介してモニタサーバ２０に送信し、このモニタ要求コマンドに応じてモニタサーバ２０から送られてくるレピータ局２のモニタデータを、微弱電波を使って無線機１に転送するものである。
【００２５】
このモニタ端末１０は、例えば図２に示すように、オペレータがモニタ対象のレピータ局２を指定して、モニタの開始や終了を要求するためのモニタ要求コマンドを入力したり、このコマンドに対する応答を監視するための操作部１１を有している。操作部１１にはコマンド送信部１２が接続され、このコマンド送信部１２が、入力されたコマンドを所定の形式のメッセージに変換してインターネット接続部１３へ与えるようになっている。インターネット接続部１３は、コマンド送信部１２から与えられたメッセージ（則ち、モニタ要求コマンド）にインターネット・プロトコルに従ったヘッダを付加してインターネット５を介してモニタサーバ２０に送信するものである。また、インターネット接続部１３は、モニタサーバ２０からインターネット５を介して受信したメッセージ（則ち、レピータ局２から転送されてきたモニタデータ）をモニタデータ受信部１４に渡す機能を有している。
【００２６】
モニタデータ受信部１４は、レピータ局２から転送されたてきたモニタデータを所定の形式に変換して無線送信部１５に与えるものである。また、モニタデータ受信部１４は、モニタサーバ２０からの応答を、操作部１１に出力する機能を有している。無線送信部１５は、モニタデータ受信部１４から与えられるモニタデータに同期符号等の無線部ヘッダを付加し、微弱電波を使用して送信アンテナ１６から送信するものである。なお、微弱電波は、電波法上変調方式や占有帯域に制限を受けない微弱なレベル（例えば、送信出力２４５ｐＷ程度）のもので、送信周波数としては、高調波を利用して無線回路を簡素化するために、４３０ＭＨｚ帯の場合は432.00MHz、１．２ＧＨｚ帯の場合は1296.00MHzが使用される。この送信アンテナ１６から送信された無線信号は、近傍に配置された無線機１で受信されるようになっている。
【００２７】
モニタサーバ２０は、モニタ端末１０とモニタ局３０の間のコマンドやモニタデータを仲介するもので、モニタ端末１０から送られてきたモニタ要求コマンドに応じて、インターネット５を介して該当するモニタ局３０にモニタデータの転送の開始や終了を指示するモニタ指示コマンドを送信し、そのモニタ局３０から転送されてくるモニタデータを、要求元のモニタ端末１０にインターネット５を介して転送するものである。
【００２８】
このモニタサーバ２０は、例えば図３に示すように、インターネット５を介してモニタ端末１０やモニタ局３０との間で、インターネット・プロトコルに従ってコマンドやモニタデータの送受信を行うインターネット接続部２１を有している。インターネット接続部２１には、コマンド送受信部２２とモニタデータ送受信部２３が接続されている。
【００２９】
コマンド送受信部２２は、モニタ端末１０から受信したモニタの開始や終了を要求するモニタ要求のコマンドに従って、モニタ対象のレピータ局２に対応するモニタ局３０に対してモニタの開始や終了を指示するモニタ指示コマンドを送信するものである。このコマンド送受信部２２には、レピータ局２のエリアＩＤと、これに対応するモニタ局３０のＩＰアドレスを対応付けるためのテーブルを有するアドレス情報蓄積部２４が接続されている。
【００３０】
モニタデータ送受信部２３は、モニタ局３０から受信したモニタデータを、そのモニタ要求を行ったモニタ端末１０に転送するものである。このモニタデータ送受信部２３には、転送処理のためにモニタデータを一時的に蓄積するためのモニタデータバッファ２５が接続されている。
【００３１】
モニタ局３０は、同じエリア内にあるレピータ局２から送信される無線信号を傍受し、モニタサーバ２０からインターネット５を介して与えられるモニタ指示コマンドに基づいて、傍受した通信内容をモニタデータとしてインターネット５を介してモニタサーバ２０に転送するものである。
【００３２】
このモニタ局３０は、例えば図４に示すように、レピータ局２から送信される無線信号を受信するための受信アンテナ３１と無線受信部３２を有しており、この無線受信部３２で受信したモニタデータがモニタデータ転送部３３に与えられるようになっている。モニタ局３０は、更に、インターネット５を介してモニタデータをモニタサーバ２０に転送すると共に、このモニタサーバ２０から与えられるモニタ要求コマンドを受信するために、インターネット接続部３４とコマンド受信部３５を有している。
【００３３】
コマンド受信部３５は、モニタサーバ２０からモニタ開始指示コマンドを受信したときに、モニタデータ転送部３３に対して、無線受信部３２で受信したモニタデータを転送するように指示するものである。これにより、無線受信部３２で受信されたモニタデータは、モニタデータ転送部３３からインターネット接続部３４に出力され、更にインターネット５を介してモニタサーバ２０に転送されることになる。なお、コマンド受信部３５は、モニタサーバ２０からモニタ終了指示コマンドを受信したときには、モニタデータ転送部３３に対して、モニタデータの転送を終了させるための指示を行うようになっている。
【００３４】
次に、図５を参照しつつ、図１のデータ通信システムにおけるモニタ処理の動作を説明する。
図５の手順Ｓ１において、オペレータは、モニタ端末１０の操作部１１から、モニタの対象とするレピータ局２のエリアＩＤ（例えば、アマチュア無線局のコールサイン）を指定し、手順Ｓ２において、モニタの開始を要求するために「開始ボタン」を押下する。これにより、手順Ｓ３において、モニタ端末１０のコマンド送信部１２は、目的のレピータ局のコールサインとモニタ開始要求のメッセージを含むモニタ開始要求コマンドを生成する。コマンド送信部１２で生成されたモニタ開始要求コマンドは、インターネット・プロトコルに従ったヘッダが付加され、図６に示すようなコマンド・パケットに組み立てられて、インターネット接続部１３からインターネット５に送信される。このとき、コマンド・パケットのＩＰ(Internet Protocol)ヘッダ中の送信元アドレスはモニタ端末１０のＩＰアドレスであり、宛先アドレスはモニタサーバ２０のＩＰアドレスである。
【００３５】
手順Ｓ３でモニタ端末１０からインターネット５上に送信されたモニタ開始要求コマンドは、手順Ｓ４において、モニタサーバ２０のインターネット接続部２１で受信され、コマンド送受信部２２に渡される。
手順Ｓ５において、コマンド送受信部２２はアドレス情報蓄積部２４を参照し、目的のレピータ局２のエリアＩＤ（コールサイン）に対応するモニタ局３０のＩＰアドレスを調べ、このモニタ局３０に対するモニタ開始指示のメッセージを含むモニタ開始指示コマンドを生成する。モニタ局３０に対するモニタ開始指示コマンドは、コマンド・パケットに組み立てられて、インターネット接続部２１からインターネット５に送信される。このときのコマンド・パケットの形式は、図６に示すものとほぼ同様であるが、送信元アドレスはモニタサーバ２０のＩＰアドレスであり、宛先アドレスはモニタ局３０のＩＰアドレスである。
【００３６】
手順Ｓ６において、宛先のモニタ局３０のインターネット接続部３４は、モニタ開始指示コマンドを受信し、その受信したコマンドをコマンド受信部３５に渡す。コマンド受信部３５は受信したコマンドによってモニタの開始が指示されていることを確認し、モニタデータ転送部３３に対して、受信アンテナ３１及び無線受信部３２で受信したレピータ局２の無線信号を、モニタデータとして出力するように指示する。
【００３７】
手順Ｓ７において、モニタデータ転送部３３によるモニタデータの転送処理が開始される。モニタデータ転送部３３は、Ｄ−ＳＴＡＲ形式でレピータ局２から受信した無線パケットの信号を、インターネット・プロトコルに従ったデータ・パケットの信号に変換する。無線パケットは、図７に示すように、ビット同期やフレーム同期の同期パターン、送信元や宛先のコールサイン等のＩＤ領域、及び誤り訂正符号（ＦＣＳ）等を有する無線部ヘッダと、複数の音声フレームとデータフレームが交互に配置されたデータ領域とで構成されている。なお、音声フレームは、アメリカのＤＶＳ社で開発されたＡＭＢＥ(Advanced Multi-Band Excitation)規格のコーデックでデジタル化された圧縮符号となっている。
【００３８】
また、データ・パケットは、図８に示すように、ＭＡＣヘッダやＩＰヘッダ等のヘッダ部と、複数の音声フレームとデータフレームが交互に配置されたデータ領域とで構成されている。則ち、モニタデータ転送部３３は、Ｄ−ＳＴＡＲ形式で受信した無線パケットのデータ領域を所定のサイズに分割し、分割したデータ領域毎にインターネット・プロトコルに従って置き換えたヘッダ部を付加して、モニタデータとしてインターネット５に送信する。ここで、ＩＰヘッダの送信元アドレスはモニタ局３０のＩＰアドレスであり、宛先アドレスはモニタサーバ２０のＩＰアドレスである。
手順Ｓ８において、モニタサーバ２０のモニタデータ送受信部２３は、モニタ局３０から受信したモニタデータを、転送処理のためにモニタデータバッファ２５に蓄積した後、読み出してモニタ端末１０に転送する。
【００３９】
手順Ｓ９において、モニタ端末１０のモニタデータ受信部１４は、モニタサーバ２０から転送されてきたモニタデータを受信し、これをＤ−ＳＴＡＲ形式の無線パケットに変換して無線送信部１５に渡す。このときの無線パケットは、図７に示すものとほぼ同じであるが、無線部ヘッダのＩＤの「送り先中継局コールサイン」と「相手局コールサイン」を「ＭＯＮＩＴＯＲ」に書き換え、「送り元中継局コールサイン」と「自局コールサイン１，２」を「スペース」に書き換えたものである。
【００４０】
手順Ｓ１０において、モニタ端末１０の無線送信部１５は、モニタデータ受信部１４から与えられた無線パケットを、微弱電波を使用して送信アンテナ１６から送信する。モニタ端末１０の近傍に配置された無線機１は、送信アンテナ１６から送信される微弱電波による無線パケットを受信し、そのデータ領域の音声フレームをアナログ信号に変換してスピーカから出力する。
【００４１】
手順Ｓ７〜Ｓ１０の処理は、手順Ｓ１１において「終了ボタン」が押下されない（手順Ｓ１１；いいえ）限り、モニタ局３０がレピータ局２から無線信号を受信するたびに繰り返して行われる。これにより、オペレータは無線機１から出力される音声信号を聞くことにより、レピータ局２の通信状況を把握することができる。
【００４２】
レピータ局２の通信状況を把握したオペレータは、手順Ｓ１１において、モニタ端末１０の操作部１１から、モニタの終了を要求するために「終了ボタン」を押下する（手順Ｓ１１；はい）。これにより、手順Ｓ１２において、モニタ端末１０のコマンド送信部１２は、目的のレピータ局のコールサインとモニタ終了要求のメッセージを含むモニタ終了要求コマンドを生成する。コマンド送信部１２で生成されたモニタ終了要求コマンドは、手順Ｓ３と同様の処理により、インターネット接続部１３からインターネット５に送信される。この後、モニタ端末１０の処理は終了する。
【００４３】
一方、手順Ｓ１２でモニタ端末１０からインターネット５上に送信されたモニタ終了要求コマンドは、手順Ｓ１３において、モニタサーバ２０のインターネット接続部２１で受信され、コマンド送受信部２２に渡される。手順Ｓ１４において、コマンド送受信部２２は、手順Ｓ５と同様の処理により、該当するモニタ局３０に対するモニタ終了指示コマンドを生成し、インターネット接続部２１からインターネット５に送信する。
【００４４】
手順Ｓ１５において、宛先のモニタ局３０のインターネット接続部３４は、モニタ終了指示コマンドを受信し、その受信したコマンドをコマンド受信部３５に渡す。コマンド受信部３５は受信したコマンドによってモニタの終了が指示されていることを確認し、モニタデータ転送部３３に対して、モニタデータの転送動作を終了するように指示する。
手順Ｓ１６において、モニタデータ転送部３３によるモニタデータの転送処理が終了し、モニタ局３０の処理は終了する。
【００４５】
以上のように、この第１の実施形態のデータ通信システムは、Ｄ−ＳＴＡＲシステムを基本構成とし、これに遠隔地のレピータ局２の通信状況をモニタするために、モニタ端末１０、モニタサーバ２０及びモニタ局３０を設けている。これにより、既存のＤ−ＳＴＡＲシステムに全く影響を与えることなく、目的のレピータ局２の通信状況をモニタすることが可能になり、適切なタイミングで宛先の無線機１を呼び出すことができるという利点がある。
【００４６】
更に、モニタ端末１０は、Ｄ−ＳＴＡＲシステムと同じ形式の無線パケットを使用して微弱電波でモニタデータを送信するので、高度な無線送信部１５を必要としない。また、Ｄ−ＳＴＡＲシステム用のコーデックを備えた専用のモニタ受信機を必要とせず、Ｄ−ＳＴＡＲシステムで使用する無線機１を使用して、レピータ局２の通信状況を把握することができるという利点がある。
【００４７】
［第２の実施形態］
第１の実施形態では、レピータ局２のモニタを行うために、このレピータ局２から送信される電波を傍受するモニタ局３０を設けているが、本発明の第２の実施形態のデータ通信システムは、図９に示すように、図１中のゲートウエイ３とモニタ局３０に代えて、ゲートウエイにモニタ局の機能を追加したゲートウエイ・モニタ局４０を設けている。
【００４８】
即ち、ゲートウエイ・モニタ局４０は、従来のゲートウエイとしての機能に加えて、モニタサーバ２０からモニタの開始や終了を指示するモニタ指示コマンドに従って、制御下のレピータ局２と無線機１との間で送受信するデータをモニタデータとして、インターネット５を介してモニタサーバ２０に転送する機能を備えている。
【００４９】
ゲートウエイ・モニタ局４０は、図１０に示すように、ゲートウエイとして本来備えているインターネット接続部４１とデータ転送部４２に加えて、モニタ局として必要なコマンド受信部４３とモニタデータ転送部４４を有している。コマンド受信部４３は、インターネット接続部４１に接続され、インターネット５を介してモニタサーバ２０からモニタ開始指示コマンドを受信したときに、モニタデータ転送部４４に対して、モニタデータの転送を開始するように指示するものである。また、コマンド受信部４３は、モニタサーバ２０からモニタ終了指示コマンドを受信したときには、モニタデータ転送部４４に対して、モニタデータの転送の終了を指示するようになっている。
【００５０】
モニタデータ転送部４４は、コマンド受信部４３からモニタデータの転送開始の指示を受けたときに、レピータ局２が無線機１との間で送受信するデータを、このレピータ局２から取り込み、モニタデータとしてインターネット接続部４１からインターネット５を介してモニタサーバ２０への転送を開始するものである。また、モニタデータ転送部４４は、コマンド受信部４３からモニタデータの転送終了の指示を受けたときには、モニタデータの転送を終了するようになっている。図９におけるその他の構成は、図１と同様である。
【００５１】
この第２の実施形態のデータ通信システムにおけるモニタ処理の動作は、ゲートウエイ・モニタ局４０を除き、第１の実施形態とほぼ同様である。
即ち、ゲートウエイ・モニタ局４０は、モニタサーバ２０からモニタ開始指示コマンドを受信すると、レピータ局２から送信される無線信号を受信するのではなく、このレピータ局２と無線機１との間で送受信するデータと同じデータをモニタデータとして、インターネット５を介してモニタサーバ２０に転送する。なお、モニタ端末１０の動作は第１の実施形態と同じである。また、モニタサーバ２０では、モニタ開始指示コマンドやモニタ終了指示コマンドの宛先がゲートウエイ・モニタ局４０のＩＰアドレスになる他は、第１の実施形態で説明した通りの動作が行われる。
【００５２】
以上のように、この第２の実施形態のデータ通信システムは、Ｄ−ＳＴＡＲシステムを基本構成とし、これに遠隔地のレピータ局２の通信状況をモニタするために、ゲートウエイに代えてモニタ機能を追加したゲートウエイ・モニタ局４０を設けている。これにより、第１の実施形態のような無線受信部を必要とせず、既存のＤ−ＳＴＡＲシステムのゲートウエイとレピータ局に若干の機能を追加するだけで、目的のレピータ局２の通信状況をモニタすることが可能になり、適切なタイミングで宛先の無線機１を呼び出すことができるという利点がある。
【００５３】
更に、モニタ端末１０は、モニタデータをＤ−ＳＴＡＲシステムと同じ形式の無線パケットを使用して微弱電波で送信するので、高度な無線送信部１５を必要としない。また、専用のモニタ受信機を必要とせず、Ｄ−ＳＴＡＲシステムで使用する無線機１を使用して、レピータ局２の通信状況を把握することができるという利点がある。
【００５４】
なお、本発明は、上記実施形態に限定されるものではなく、種々の変形が可能である。
（ａ）  アマチュア無線のＤ−ＳＴＡＲシステムにおけるレピータ局２のモニタシステムについて説明したが、インターネットやその他の通信網を無線通信の中継回線として使用するデータ通信システムに対して同様に適用可能である。
【００５５】
（ｂ）  モニタサーバ２０が、モニタ端末１０とモニタ局３０の間のコマンドやモニタデータの転送を仲介しているが、例えば、モニタ端末１０にモニタ局３０とレピータ局２の対応を示す情報を持たせたり、管理サーバ６に問い合わせたりすることにより、モニタサーバ２０を介さず、モニタ端末１０とモニタ局３０の間で直接モニタデータ等の転送を行うようにしても良い。
【００５６】
（ｃ）  図２〜図４では、モニタ端末１０等の各構成要素を、それぞれ独立した機能を有するハードウエアとして説明したが、コンピュータを用いてプログラムによってこれらの各構成要素の機能を実現しても良い。
（ｄ）  送受信メッセージ等のパケットのフレーム構成は、図６〜図８に例示したものに限定されない。適用するシステムに合ったフレーム構成を使用することができる。
【００５７】
（ｅ）  モニタ局３０では、レピータ局２から送信される無線信号を傍受して、モニタデータとしてモニタサーバ２０に転送しているが、無線機１から送信される無線信号（則ち、レピータ局２で受信する無線信号）を傍受して、モニタデータとして転送しても良い。更に、モニタ局３０は、レピータ局２で送受信される無線信号を傍受して、モニタデータとして転送しても良い。
【００５８】
（ｆ）  １つのモニタ端末１０から１つのモニタ局３０に対するモニタ要求コマンドが出された場合の動作について説明したが、複数のモニタ端末１０から同じモニタ局３０に対するモニタ要求コマンドが出された場合にも対応可能である。このような場合、モニタサーバ２０は、複数のモニタ端末１０からのモニタ要求コマンドを集約してモニタ指示コマンドを生成してモニタ局３０に送信し、このモニタ局３０から受信したモニタデータを複数のモニタ端末１０に送信するように構成すれば良い。
【００５９】
即ち、モニタサーバ２０は、第１のモニタ端末１０からあるモニタ局３０に対するモニタ開始要求コマンドに応じて、そのモニタ局３０にモニタ開始指示コマンドを送信する。その後、第２のモニタ端末１０から同じモニタ局３０に対するモニタ開始要求コマンドを受信すると、そのモニタ局３０には再度モニタ開始指示コマンドを送信することなく、このモニタ局３０から受信したモニタデータを第１と第２のモニタ端末１０に送信する。そして、モニタ開始要求コマンドを出力したすべてのモニタ端末１０からモニタ終了要求コマンドを受信した時点で、モニタ局３０にモニタ終了指示コマンドを送信する。これにより、モニタ局３０の負荷を軽減することができる。
【００６０】
（ｇ）  モニタサーバ２０は、モニタデータを転送処理のために一時的に格納するモニタデータバッファ２５を有しているが、モニタデータバッファを使用せずに、直ちに転送するように構成しても良い。
【図面の簡単な説明】
【００６１】
【図１】本発明の第１の実施形態に係るデータ通信システムを示す構成図である。
【図２】図１中のモニタ端末の一例を示す構成図である。
【図３】図１中のモニタサーバの一例を示す構成図である。
【図４】図１中のモニタ局の一例を示す構成図である。
【図５】図１におけるモニタ処理の動作手順を示すシーケンス図である。
【図６】インターネット上で転送されるコマンド・パケットのフレーム構成を示す図である。
【図７】Ｄ−ＳＴＡＲシステムによる無線パケットのフレーム構成を示す図である。
【図８】インターネット上で転送されるデータ・パケットのフレーム構成を示す図である。
【図９】本発明の第２の実施形態に係るデータ通信システムを示す構成図である。
【図１０】図９中のゲートウエイ・モニタ局の一例を示す構成図である。
【図１１】Ｄ−ＳＴＡＲシステムの概要を示す構成図である。
【符号の説明】
【００６２】
１    無線機
２    レピータ局
３    ゲートウエイ
４    幹線
５    インターネット
６    管理サーバ
１０    モニタ端末
１１    操作部
１２    コマンド送信部
１３，２１，３４，４１    インターネット接続部
１４    モニタデータ受信部
１５    無線送信部
１６    送信アンテナ
２０    モニタサーバ
２２    コマンド送受信部
２３    モニタデータ送受信部
２４    アドレス情報蓄積部
２５    モニタデータバッファ
３０    モニタ局
３１    受信アンテナ
３２    無線受信部
３３，４４    モニタデータ転送部
３５，４３    コマンド受信部
４０    ゲートウエイ・モニタ局
４２    データ転送部
【図１】
2010124119.tif 000003
【図２】
2010124119.tif 000004
【図３】
2010124119.tif 000005
【図４】
2010124119.tif 000006
【図５】
2010124119.tif 000007
【図６】
2010124119.tif 000008
【図７】
2010124119.tif 000009
【図８】
2010124119.tif 000010
【図９】
2010124119.tif 000011
【図１０】
2010124119.tif 000012
【図１１】
2010124119.tif 000013